(57)【要約】【課題】内容記述作業をより効率的に行うことができる情報編集装置を提供する。【解決手段】少なくとも視聴者の視聴対象を被写体とするデジタルデータ、および当該デジタルデータを記録した時刻を示すデジタルデータ記録時刻情報を取得するデジタルデータ取得手段４０と、デジタルデータが記録されているときに記録された視聴者の音声データ、および当該音声データを記録した時刻を示す音声データ記録時刻情報を取得する音声データ取得手段４０と、音声データの周波数解析を行い、解析結果に基づいて定められた当該音声データの各領域に対して、当該解析結果に対し予め定められた音声属性を特定する音声解析手段４３０と、音声解析手段が特定し記音声属性を、当該音声属性に対する領域に対応付けられているデジタルデータの所定の位置に対して付与する音声属性付与手段４３５とを備えた。【選択図】      図５
2004304350.tif 000002
【特許請求の範囲】
【請求項１】
少なくとも音声データを含むデジタルデータを編集する情報編集装置であって、
少なくとも視聴者の視聴対象を被写体とするデジタルデータ、および当該デジタルデータを記録したデジタルデータ記録時刻情報を取得するデジタルデータ取得手段と、
前記デジタルデータが記録されているときに記録された前記視聴者の音声データ、および当該音声データを記録した音声データ記録時刻情報を取得する音声データ取得手段と、
前記音声データの周波数解析を行い、解析結果に基づいて定められた当該音声データの各領域に対して、当該解析結果に対し予め定められた音声属性を特定する音声解析手段と、
前記音声解析手段が特定した前記音声属性を、前記デジタルデータ記録時刻情報と前記音声データ記録時刻情報により当該音声属性に対する領域に対応付けられている前記デジタルデータの所定の位置に対して付与する音声属性付与手段とを備えたことを特徴とする情報編集装置。
【請求項２】
前記音声データに対して特定された前記音声属性の種類に応じて、当該音声データに対応付けられている前記デジタルデータを複数の区間に分割する区間決定手段をさらに備えたことを特徴とする請求項１に記載の情報編集装置。
【請求項３】
前記デジタルデータに関連する複数の画面画像を含む静止画データと、表示装置に表示された前記画面画像の切り替えのタイミングを示す切り替えタイミング情報とを取得する静止画データ取得手段と、
前記静止画データ取得手段が取得した前記切り替えタイミング情報と、前記デジタルデータ記録時刻情報とに基づいて、前記デジタルデータを複数の区間に分割する区間決定手段をさらに備え、
前記音声属性付与手段は、前記音声属性を、当該音声データの領域が含まれる区間に対して付与することを特徴とする請求項１に記載の情報編集装置。
【請求項４】
前記デジタルデータ取得手段は、少なくとも講演者を被写体として含む動画データと、前記講演者の音声を主として含む音声データとを前記デジタルデータとして取得することを特徴とする請求項１から３のいずれか一項に記載の情報編集装置。
【請求項５】
前記音声解析手段は、前記音声データ取得手段が取得した前記音声データのうち拍手を含む領域に対し、拍手属性を特定することを特徴とする請求項１から４のいずれか一項に記載の情報編集装置。
【請求項６】
前記音声解析手段は、前記音声データ取得手段が取得した前記音声データのうち視聴者の笑いを含む領域に対し、笑い属性を特定することを特徴とする請求項１から５のいずれか一項に記載の情報編集装置。
【請求項７】
前記音声解析手段は、前記音声データ取得手段が取得した前記音声データのうち、視聴者の質問の音声を含む領域に対し、質問属性を特定することを特徴とする請求項１から６のいずれか一項に記載の情報編集装置。
【請求項８】
前記音声解析手段は、前記音声データ取得手段が取得した前記音声データのうち視聴者の私語の音声を含む領域に対し、私語属性を特定することを特徴とする請求項１から７のいずれか一項に記載の情報編集装置。
【請求項９】
前記音声属性付与手段は、前記デジタルデータのうち前記音声属性が付与された区間に対し、当該音声属性を示す音声属性表示情報をさらに付与することを特徴とする請求項１から８のいずれか一項に記載の情報編集装置。
【請求項１０】
少なくとも音声データを含むデジタルデータを編集する情報編集システムであって、
少なくとも視聴者の視聴対象を被写体とするデジタルデータを記録するデジタルデータ記録装置と、
前記デジタルデータ記録装置が前記デジタルデータを記録しているときの前記視聴者の音声データを記録する音声データ記録装置と、
前記デジタルデータ記録装置から、前記デジタルデータおよび当該デジタルデータを記録したデジタルデータ記録時刻情報を取得するデジタルデータ取得手段と、
前記音声データ記録装置から、前記視聴者の音声データおよび当該音声データを記録した音声データ記録時刻情報を取得する音声データ取得手段と、
前記音声データの周波数解析を行い、解析結果に基づいて定められた当該音声データの各領域に対して、当該解析結果に対し予め定められた音声属性を特定する音声解析手段と、
前記音声解析手段が特定した前記音声属性を、前記デジタルデータ記録時刻情報と前記音声データ記録時刻情報により当該音声属性に対する領域に対応付けられている前記デジタルデータの所定の位置に対して付与する音声属性付与手段とを有する情報編集装置と
を備えたことを特徴とする情報編集システム。
【請求項１１】
前記デジタルデータ記録装置は、
少なくとも講演者を被写体として含む動画データを記録する動画データ記録手段と、
前記講演者の音声を音声データとして記録する音声データ記録手段と
を有し、
前記情報編集装置の前記デジタルデータ取得手段は、前記動画データと前記音声データとを前記デジタルデータとして取得することを特徴とする請求項１０に記載の情報編集システム。
【請求項１２】
少なくとも音声データを含むデジタルデータを編集する情報編集方法であって、
少なくとも視聴者の視聴対象を被写体とするデジタルデータ、および当該デジタルデータを記録したデジタルデータ記録時刻情報を取得するデジタルデータ取得ステップと、
前記デジタルデータが記録されているときに記録された前記視聴者の音声データ、および当該音声データを記録した音声データ記録時刻情報を取得する音声データ取得ステップと、
前記音声データの周波数解析を行い、解析結果に基づいて定められた当該音声データの各領域に対して、当該解析結果に対し予め定められた音声属性を特定する音声解析ステップと、
前記音声解析ステップにおいて特定した前記音声属性を、前記デジタルデータ記録時刻情報と前記音声データ記録時刻情報により当該音声属性に対する領域に対応付けられている前記デジタルデータの所定の位置に対して付与する属性付与ステップと
を有することを特徴とする情報編集方法。
【請求項１３】
少なくとも音声データを含むデジタルデータを編集する情報編集処理をコンピュータに実行させる情報編集プログラムであって、
少なくとも視聴者の視聴対象を被写体とするデジタルデータ、および当該デジタルデータを記録したデジタルデータ記録時刻情報を取得するデジタルデータ取得ステップと、
前記デジタルデータが記録されているときに記録された前記視聴者の音声データ、および当該音声データを記録した音声データ記録時刻情報を取得する音声データ取得ステップと、
前記音声データと前記デジタルデータとを、前記デジタルデータ記録時刻情報と前記音声データ記録時刻情報とに基づいて対応付けるデジタルデータ対応付ステップと、
前記音声データの周波数解析を行い、解析結果に基づいて定められた当該音声データの各領域に対して、当該解析結果に対し予め定められた音声属性を特定する音声解析ステップと、
前記音声解析ステップにおいて特定した前記音声属性を、前記デジタルデータ記録時刻情報と前記音声データ記録時刻情報により当該音声属性に対する領域に対応付けられている前記デジタルデータの所定の位置に対して付与する属性付与ステップと
をコンピュータに実行させることを特徴とする情報編集プログラム。
【発明の詳細な説明】
【０００１】
【発明の属する技術分野】
この発明は、音声データを含むデジタルデータを編集する情報編集装置、当該情報編集装置を含む情報編集システム、情報編集方法、および情報編集プログラムに関する。
【０００２】
【従来の技術】
長時間の映像のうちから所望の一部のみを見たいという要望がある。この要望に応えるべく、近年では、所望の部分を容易に検索または頭出しする方法として、インデキシング技術が開発されている。インデキシング技術とは、映像全体を時間軸に沿って複数の部分に分割し、それぞれの部分に対して、検索可能とすべく記述情報を対応付ける技術である。
【０００３】
インデキシング技術としては、スライド等のドキュメントが表示されたタイミングに基づいて、当該ドキュメントに関連する映像を同期させるドキュメント処理方法が知られている。（例えば、特許文献１）。
【０００４】
【特許文献１】
特開２００２−２３２８５８号公報（第５−９頁）
【０００５】
【発明が解決しようとする課題】
上記技術によれば、映像情報の視聴者は、長時間の映像に対して対応付けられた記述情報に基づいて所望の場面を検索することができる。しかし、記述情報が適切でない場合には、このような記述情報によっても所望の場面を得ることができないという問題がある。
【０００６】
このため、視聴者の希望により合致する場面を検索することを可能とするようなインデキシング技術の開発が望まれている。
【０００７】
この発明は上記に鑑みてなされたもので、内容記述作業をより効率的に行うことができる情報編集装置、情報編集システム、情報編集方法、および情報編集プログラムを得ることを目的とする。
【０００８】
【課題を解決するための手段】
上記目的を達成するため、請求項１にかかる発明は、少なくとも音声データを含むデジタルデータを編集する情報編集装置であって、少なくとも視聴者の視聴対象を被写体とするデジタルデータ、および当該デジタルデータを記録したデジタルデータ記録時刻情報を取得するデジタルデータ取得手段と、前記デジタルデータが記録されているときに記録された前記視聴者の音声データ、および当該音声データを記録した音声データ記録時刻情報を取得する音声データ取得手段と、前記音声データの周波数解析を行い、解析結果に基づいて定められた当該音声データの各領域に対して、当該解析結果に対し予め定められた音声属性を特定する音声解析手段と、前記音声解析手段が特定した前記音声属性を、前記デジタルデータ記録時刻情報と前記音声データ記録時刻情報により当該音声属性に対する領域に対応付けられている前記デジタルデータの所定の位置に対して付与する音声属性付与手段とを備えたことを特徴とする。
【０００９】
この請求項１の発明によれば、音声データの周波数解析に基づいて定められた音声属性をデジタルデータに対して付与することができるので、デジタルデータの視聴者は音声データから得られた情報に基づいて所望の情報を検索することができる。
【００１０】
例えば、プレゼンテーションの様子を撮影したデジタルデータを対象とする場合には、プレゼンテーションにおいて、拍手のあったシーンや、質問が多いシーンは、当該デジタルデータの視聴者にとっても重要なシーンであることが多い。本発明によれば、デジタルデータには音声属性が付与されているので、拍手の音や質問している声に基づいて特定したシーンを検索し、このシーンのみを視聴者に提供することができる。
【００１１】
また、音声属性は、プレゼンテーションの参加者の反応に基づいて生成されているので、音声属性に実際の重要度をより正確に反映させることができる。
【００１２】
また、請求項２にかかる発明は、請求項１に記載の情報編集装置であって、前記音声データに対して特定された前記音声属性の種類に応じて、当該音声データに対応付けられている前記デジタルデータを複数の区間に分割する区間決定手段をさらに備えたことを特徴とする。
【００１３】
この請求項２の発明によれば、デジタルデータを音声属性の種類に応じて、複数の区間に分割することができるので、視聴者が希望する情報を含む区間だけを適切に選択し、当該区間のみを視聴者に提供することができる。
【００１４】
また、請求項３にかかる発明は、請求項１に記載の情報編集装置であって、前記デジタルデータに関連する複数の画面画像を含む静止画データと、表示装置に表示された前記画面画像の切り替えのタイミングを示す切り替えタイミング情報とを取得する静止画データ取得手段と、前記静止画データ取得手段が取得した前記切り替えタイミング情報と、前記デジタルデータ記録時刻情報とに基づいて、前記デジタルデータを複数の区間に分割する区間決定手段をさらに備え、前記音声属性付与手段は、前記音声属性を、当該音声データの領域が含まれる区間に対して付与することを特徴とする。
【００１５】
この請求項３の発明によれば、デジタルデータに含まれる各区間に対して、音声属性を付与することができるので、視聴者の希望するシーンを区間単位で検索し、必要な部分のみを視聴者に提供することができる。
【００１６】
また、請求項４にかかる発明は、請求項１から３のいずれか一項に記載の情報編集装置であって、前記デジタルデータ取得手段は、少なくとも講演者を被写体として含む動画データと、前記講演者の音声を主として含む音声データとを前記デジタルデータとして取得することを特徴とする。
【００１７】
この請求項４の発明によれば、デジタルデータが講演者を含む場合に、講演者の音声はデジタルデータとして取得するので、音声解析のための音声データとは別に、視聴者が聞くための音声データをデジタルデータとして利用者に提供することができる。
【００１８】
また、請求項５にかかる発明は、請求項１から４のいずれか一項に記載の情報編集装置であって、前記音声解析手段は、前記音声データ取得手段が取得した前記音声データのうち拍手を含む領域に対し、拍手属性を特定することを特徴とする。
【００１９】
この請求項５の発明によれば、音声解析手段は、拍手属性を特定することができるので、拍手があったシーンのみを視聴者に提供することができる。
【００２０】
拍手があったシーンは、講演の中でも重要なシーンであることが多く、視聴者は、このようなシーンは確認しておきたいことが多い。本発明によれば、視聴者は、拍手があったシーンのみを視聴することができる。
【００２１】
また、請求項６にかかる発明は、請求項１から５のいずれか一項に記載の情報編集装置であって、前記音声解析手段は、前記音声データ取得手段が取得した前記音声データのうち視聴者の笑いを含む領域に対し、笑い属性を特定することを特徴とする。
【００２２】
この請求項６の発明によれば、音声解析手段は、笑い属性を特定することができるので、笑いがあったシーンのみを視聴者に提供することができる。
【００２３】
笑いがあったシーンは、参加者にとって興味がある部分であることが多く、視聴者は、このようなシーンは確認しておきたいことが多い。本発明によれば、視聴者は、笑いがあったシーンのみを視聴することができる。
【００２４】
また、請求項７にかかる発明は、請求項１から６のいずれか一項に記載の情報編集装置前記音声解析手段は、前記音声データ取得手段が取得した前記音声データのうち、視聴者の質問の音声を含む領域に対し、質問属性を特定することを特徴とする。
【００２５】
この請求項７の発明によれば、音声解析手段は、質問属性を特定することができるので、質問があったシーンのみを視聴者に提供することができる。
【００２６】
質問があったシーンは、講演の参加者にとって興味がある部分である場合が多く、視聴者は、このようなシーンは確認しておきたいことが多い。本発明によれば、視聴者は、容易に質問があったシーンのみを視聴することができる。
【００２７】
また、請求項８にかかる発明は、請求項１から７のいずれか一項に記載の情報編集装置であって、前記音声解析手段は、前記音声データ取得手段が取得した前記音声データのうち視聴者の私語の音声を含む領域に対し、私語属性を特定することを特徴とする。
【００２８】
この請求項８の発明によれば、音声解析手段は、私語属性を特定することができるので、私語があったシーン以外のシーンを視聴者に提供することができる。
【００２９】
私語があったシーンは、講演内容がさほど重要でないところである場合が多く、視聴者は、このようなシーンの視聴を希望しないことが多き。本発明によれば、視聴者は、容易に私語が合ったシーン以外のシーンのみを視聴することができる。
【００３０】
また、請求項９にかかる発明は、請求項１から８のいずれか一項に記載の情報編集装置であって、前記音声属性付与手段は、前記デジタルデータのうち前記音声属性が付与された区間に対し、当該音声属性を示す音声属性表示情報をさらに付与することを特徴とする。
【００３１】
この請求項９の発明によれば、デジタルデータの各区間には、対応する音声属性を示す音声属性表示情報が付与されるので、表示画面にデジタルデータを表示させるときに、同時に対応する音声属性表示情報を表示させることができる。したがって、視聴者は、表示画面に表示されたデジタルデータを視聴しているときに、その場面がどのような場面であったかを、デジタルデータとともに表示されている音声属性表示情報から容易に把握することができる。これにより、デジタルデータの内容を、実際に講演等に参加したのと同様に詳しく理解することができる。
【００３２】
また、請求項１０にかかる発明は、少なくとも音声データを含むデジタルデータを編集する情報編集システムであって、少なくとも視聴者の視聴対象を被写体とするデジタルデータを記録するデジタルデータ記録装置と、前記デジタルデータ記録装置が前記デジタルデータを記録しているときの前記視聴者の音声データを記録する音声データ記録装置と、前記デジタルデータ記録装置から、前記デジタルデータおよび当該デジタルデータを記録したデジタルデータ記録時刻情報を取得するデジタルデータ取得手段と、前記音声データ記録装置から、前記視聴者の音声データおよび当該音声データを記録した音声データ記録時刻情報を取得する音声データ取得手段と、前記音声データと前記デジタルデータとを、前記デジタルデータ記録時刻情報と前記音声データ記録時刻情報とに基づいて対応付けるデジタルデータ対応付手段と、前記音声データの周波数解析を行い、解析結果に基づいて定められた当該音声データの各領域に対して、当該解析結果に対し予め定められた音声属性を特定する音声解析手段と、前記音声解析手段が特定した前記音声属性を、前記デジタルデータ記録時刻情報と前記音声データ記録時刻情報により当該音声属性に対する領域に対応付けられている前記デジタルデータの所定の位置に対して付与する音声属性付与手段とを有する情報編集装置とを備えたことを特徴とする。
【００３３】
この請求項１０の発明によれば、音声データの周波数解析に基づいて定められた音声属性をデジタルデータに対して付与することができるので、デジタルデータの視聴者は音声データから得られた情報に基づいて所望の情報を検索することができる。
【００３４】
また、請求項１１にかかる発明は、特徴とする請求項１０に記載の情報編集システムであって、前記デジタルデータ記録装置は、少なくとも講演者を被写体として含む動画データを記録する動画データ記録手段と、前記講演者の音声を音声データとして記録する音声データ記録手段とを有し、前記情報編集装置の前記デジタルデータ取得手段は、前記動画データと前記音声データとを前記デジタルデータとして取得することを特徴とする。
【００３５】
この請求項１１の発明によれば、画像データとともに記録した音声データをデジタルデータとして視聴者に提供することができる。
【００３６】
また、請求項１２にかかる発明は、少なくとも音声データを含むデジタルデータを編集する情報編集方法であって、少なくとも視聴者の視聴対象を被写体とするデジタルデータ、および当該デジタルデータを記録したデジタルデータ記録時刻情報を取得するデジタルデータ取得ステップと、前記デジタルデータが記録されているときに記録された前記視聴者の音声データ、および当該音声データを記録した音声データ記録時刻情報を取得する音声データ取得ステップと、前記音声データの周波数解析を行い、解析結果に基づいて定められた当該音声データの各領域に対して、当該解析結果に対し予め定められた音声属性を特定する音声解析ステップと、前記音声解析ステップにおいて特定した前記音声属性を、前記デジタルデータ記録時刻情報と前記音声データ記録時刻情報により当該音声属性に対する領域に対応付けられている前記デジタルデータの所定の位置に対して付与する音声属性付与ステップとを有することを特徴とする。
【００３７】
この請求項１２の発明によれば、音声データの周波数解析に基づいて定められた音声属性をデジタルデータに対して付与することができるので、デジタルデータの視聴者は音声データから得られた情報に基づいて所望の情報を検索することができる。
【００３８】
また、請求項１３にかかる発明は少なくとも音声データを含むデジタルデータを編集する情報編集処理をコンピュータに実行させる情報編集プログラムであって、少なくとも視聴者の視聴対象を被写体とするデジタルデータ、および当該デジタルデータを記録したデジタルデータ記録時刻情報を取得するデジタルデータ取得ステップと、前記デジタルデータが記録されているときに記録された前記視聴者の音声データ、および当該音声データを記録した音声データ記録時刻情報を取得する音声データ取得ステップと、前記音声データと前記デジタルデータとを、前記デジタルデータ記録時刻情報と前記音声データ記録時刻情報とに基づいて対応付けるデジタルデータ対応付ステップと、前記音声データの周波数解析を行い、解析結果に基づいて定められた当該音声データの各領域に対して、当該解析結果に対し予め定められた音声属性を特定する音声解析ステップと、前記音声解析ステップにおいて特定した前記音声属性を、前記デジタルデータ記録時刻情報と前記音声データ記録時刻情報により当該音声属性に対する領域に対応付けられている前記デジタルデータの所定の位置に対して付与する属性付与ステップとをコンピュータに実行させることを特徴とする。
【００３９】
この請求項１３の発明によれば、音声データの周波数解析に基づいて定められた音声属性をデジタルデータに対して付与することができるので、デジタルデータの視聴者は音声データから得られた情報に基づいて所望の情報を検索することができる。
【００４０】
【発明の実施の形態】
以下に添付図面を参照して、この発明にかかる情報編集装置、情報編集システム、情報編集方法、および情報編集プログラムの好適な実施の形態を詳細に説明する。
【００４１】
（実施の形態１）
図１は、この発明の実施の形態である情報編集装置５を含む情報編集システム１の全体構成を示している。
【００４２】
情報編集システム１は、プレゼンテーション資料３１を格納するプレゼンテーション装置２と、このプレゼンテーション装置２と接続し、プレゼンテーション資料３１を表示するプロジェクター等の投影機３と、投影機３により投影された画像を表示する表示画面３０と、プレゼンテーションの参加者の拍手や質問等の音声を取得し、記録するマイク装置６と、プレゼンテーションの状況を動画撮影し、同時にプレゼンターの音声を主に含む音声データを記録する音声取り込み機能付きのＤＶカメラ４と、ＤＶカメラ４が取り込んだ音声データを含む動画データ（以下単に「動画データ」と称す）を編集する情報編集装置５とを備えている。
【００４３】
なお、ここで、動画データは、本発明のデジタルデータに相当する。また、プレゼンテーション資料３１は、本発明の静止画データに相当する。
【００４４】
ＤＶカメラ４と情報編集装置５は、例えば、ＩＥＥＥ１３９４などのインターフェイスで接続されている。また、プレゼンテーション装置２と情報編集装置５は、ＩＥＥＥ８０２．１１ｂなどの通信インターフェイスで接続されている。無線通信環境がない場合は、通常のイーサネット（Ｒ）によるピア・ツー・ピア接続であってもよい。
【００４５】
プレゼンテーション装置２は、単にプレゼンテーション資料３１を格納しており、投影機３と通信可能であればよく、例えば、プレゼンターの所有するＰＣであってもよい。
【００４６】
編集者は、プレゼンターがプレゼンテーション資料３１を表示画面３０に表示させながらプレゼンテーションを行っている様子を、ＤＶカメラ４を用いて撮影する。このとき、ＤＶカメラ４は、動画データと、当該動画データを記録しているときの時刻を示す動画データ記録時刻情報とを対応付けて記録する。ＤＶカメラ４は、さらに講演者が使用するマイク装置７の音声を入力する。
【００４７】
ここで、編集者とは、情報編集システム１を利用して動画を編集する者のことである。
【００４８】
さらに、プレゼンターがプレゼンテーションの参加者側の音声を取得すべく、マイク装置６は参加者側に設置されている。マイク装置６は、プレゼンテーション中の参加者側の音声データと、当該音声データを記録しているときの時刻を示す音声データ記録時刻情報とを対応付けて記録する。すなわち、マイク装置６は、ＤＶカメラ４が動画データを記録しているときの参加者の音声データを記録する。
【００４９】
ここで、参加者は、本発明の視聴者に相当する。また、プレゼンテーションは、本発明の視聴対象に相当する。
【００５０】
撮影が終了すると、情報編集装置５は、プレゼンテーション装置２からプレゼンテーション資料３１を取得し、さらに、ＤＶカメラ４からプレゼンテーションの様子を示す動画データを取得する。そして、情報編集装置５は、動画データを編集する。すなわち、動画データにプレゼンテーション資料３１を対応付けた情報ファイルを生成する。
【００５１】
図２は、本実施の形態にかかる情報編集システム１に特徴的な処理を行う情報編集装置５の情報編集部３５と、プレゼンテーション装置２のイベント処理部３２の機能構成を示すブロック図である。
【００５２】
イベント処理部３２は、イベントキャプチャ部３３と、イベント記録部３４と、送信部４４とを有している。
【００５３】
イベントキャプチャ部３３は、プレゼンテーション装置２に接続されたキーボード２１やマウス１５からの入力により、プレゼンテーションに関するイベントを示すイベント情報を取得する。イベント記録部３４は、イベントキャプチャ部３３が取得したイベント情報を記録する。
【００５４】
送信部４４は、イベント情報およびプレゼンテーション資料３１を情報編集装置５に送信する。
【００５５】
また、情報編集部３５は、受信部３６と、イベント情報制御部３７と、イベント記録部３８と、イベント情報解釈部４２と、指示受付部５４と、情報ファイル生成部４３と、出力部５０と、キャプチャ部４０と、動画データ管理部４１と、撮影機器制御部３９とを有している。
【００５６】
受信部３６は、送信部４４からイベント情報およびプレゼンテーション資料３１を受け取る。
【００５７】
イベント情報制御部３７は、受信部３６が受け取ったイベント情報を制御する。
【００５８】
イベント記録部３８は、イベント情報を記録する。
【００５９】
イベント情報解釈部４２は、イベント記録部３８からイベント情報を取得し、イベント情報の内容を解釈する。
【００６０】
指示受付部５４は、編集者等からの指示を受け付ける。
【００６１】
情報ファイル生成部４３は、指示受付部５４からの指示に従って、イベント情報解釈部４２によって解釈されたイベント情報に基づいて動画データを編集し、情報ファイルを生成する。
【００６２】
出力部５０は、情報ファイル生成部４３が生成した情報ファイルを外部に出力する。
【００６３】
キャプチャ部４０は、参加者の視聴対象であるプレゼンテーションの様子を被写体とする動画データ、および動画データ記録時刻情報をＤＶカメラ４から取得し、キャプチャする。キャプチャ部４０はまた、ＤＶカメラ４がプレゼンテーションの様子を撮影しているときの参加者の音声データ、および音声データ記録時刻をマイク装置６から取得し、キャプチャする。
【００６４】
撮影機器制御部３９は、動画データを管理する動画データ管理部４１と、ＤＶカメラ４を制御する。
【００６５】
ここで、受信部４４は、本発明の静止画データ取得手段を構成する。また、キャプチャ部４０は、本発明のデジタルデータ取得手段および音声データ取得手段を構成する。
【００６６】
ここで、図３を参照しつつ、プレゼンテーション資料３１について説明する。プレゼンテーション資料３１は、プレゼンテーションの際に表示画面３０に表示すべき画面画像３１０，３１２，３１４，３１６，３１８，３２０を含んでいる。各画面画像３１０，３１２，３１４，３１６，３１８，３２０には、ページ番号が対応付けられており、ページ番号順に表示される。すなわち、プレゼンテーション資料３１を構成する画面画像は、当該プレゼンテーション資料３１の作成者が定めた順番に配列されている。図３に示すプレゼンテーション資料３１は、６ページ分の画面画像を含んでいる。これらは、プレゼンターからの指示により、１ページ、２ページ、・・・とページ順に表示される。なお、本実施の形態におけるプレゼンテーション資料３１は、パワーポイントＭｉｃｒｏｓｏｆｔ（Ｒ）社製のＰｏｗｅｒ  Ｐｏｉｎｔ（Ｒ）のファイルである。
【００６７】
通常、プレゼンテーションにおいて、プレゼンターは、以下の操作を行う。
１．プレゼンテーション装置２の起動
２．プレゼンテーション・ソフトの起動
３．発表の開始
４．キーボード２１又はマウス１５の操作による、プレゼンテーション資料３１のページめくり
５．発表の終了
６．プレゼンテーション・ソフトの終了
７．プレゼンテーション装置２の終了
ここで、ページめくりとは、表示画面３０に表示させる、プレゼンテーション資料３１を１ページから次のページすなわち２ページに切り替えることである。
【００６８】
以上の操作は、いずれもマウス１５またはキーボード２１における所定の操作に対応付けられている。例えば、プレゼンテーション装置２の表示画面に表示されたプレゼンテーション・ソフトのアイコンをマウス１５によりクリックする操作は、プレゼンテーション・ソフトの起動というイベントに対応付けられている。
【００６９】
イベント記録部３４は、このイベント情報のログを記録し、送信部４４は通信インターフェイスを介して情報編集部３５に送信する。
【００７０】
撮影機器制御部３９は、イベント情報に基づいてＤＶカメラ４を制御する。イベント記録部３８は、イベント処理部３２から受信したイベント情報のみならず、ＤＶカメラ４の制御のイベント情報も記録する。
【００７１】
例えば、プレゼンテーション・ソフトの起動というイベントが発生したときは、このイベント情報をイベント記録部３８で記録する。さらに、撮影機器制御部３９により、ＤＶカメラ４からの動画データ取り込みを開始する。プレゼンテーション・ソフトが終了したときは、撮影機器制御部３９は、ＤＶカメラ４からの動画データの取り込みを終了する。そして、イベント情報制御部３７は、プレゼンテーション・ソフトの終了をイベントとするイベント情報をイベント記録部３８に記録する。
【００７２】
イベント情報解釈部４２は、イベント情報の内容を解釈する。そして、情報ファイル生成部４３は、イベント情報解釈部４２によって解釈されたイベント情報の内容を参照し、プレゼンテーション資料３１及び動画データに基づいて情報ファイルを生成する。
【００７３】
このように、情報編集部３５は、ＤＶカメラ４から取り込んだ動画データ中のイベントのイベント情報を動画データとともに管理することができる。つまり、ＤＶカメラ４で撮影され取り込まれた動画データは、時間の推移を規定する時間情報を付されて保存される。また、記録されたイベント情報は、情報ファイル生成部４３により、プレゼンテーション資料３１とマージされ、内容記述言語（ＭＰＥＧ−７など）により管理される。
【００７４】
図４は、イベント情報リスト３４０のデータ構成を模式的に示している。イベント情報リスト３４０には、イベント情報３４１，３４２，３４３・・・が、各イベントの発生した順番に配列されている。イベント情報には、発生したイベントの種類およびイベントが発生した日時が含まれている。例えばページ２が表示されると、「ページ２に切り替え」というイベント情報が記録される。これにより、各ページの表示を開始した表示開始時刻および表示を終了した終了時刻を認識することができる。なお、「ページ２に切り替え」というイベント情報は、本発明の切り替えタイミング情報に相当する。
【００７５】
図５は、図２において説明した、情報ファイル生成部４３の詳細な機能構成を示す機能ブロック図である。情報ファイル生成部４３は、区間決定部４３０と、区間調整部４３１と、同期部４３３と、目次項目抽出部４３４と、目次項目削除部４３７と、目次生成部４４４と、抽出条件保持部４４２と、対応付部４３５と、同期調整部４３６と、音声解析部４５０とを有する。
【００７６】
区間決定部４３０は、ＤＶカメラ４から取得した動画データ６００を、プレゼンテーション装置２から取得したイベント情報６１０に基づいて、複数の区間に分割する。具体的には、区間決定部４３０は、ページめくりを示すイベント情報が示す時刻に録画されたフレーム位置を動画データの区間の境界位置として決定する。すなわち、一のページが表示されている区間は、同一区間となり、ページが切り替わるタイミングが、区間の境界に対応する。
【００７７】
区間調整部４３１は、区間決定部４３０が分割した区間の長さを調整する。具体的には、区間決定部４３０により決定された区間の長さが、予め定められた規定長に比べて短い場合に、この規定長よりも短い区間、すなわち規定長外区間を、当該規定長区間の直前または直後の区間に統合する。
【００７８】
同期部４３３は、イベント情報に基づいて、動画データ６００とプレゼンテーション資料３１との同期を取る。すなわち、動画データ６００の各区間を表示させるときに同時に表示させるべきプレゼンテーション資料３１の一のページを、各区間に対応付ける。
【００７９】
同期調整部４３６は、動画データ６００の規定外区間に対して、同期部４３３が同期させたプレゼンテーション資料３１のページにかえて、規定外区間の統合先の区間に同期されたページを同期させる。
【００８０】
抽出条件保持部４４２は、目次項目を抽出するための抽出条件を保持している。すなわち、抽出条件は予め定められている。なお、抽出条件保持部４４２は、指示受付部５４を介して利用者から入力された抽出条件を保持してもよい。
【００８１】
目次項目抽出部４３４は、抽出条件保持部４４２が保持する条件に基づいて、プレゼンテーション資料３１から、動画データ６００の目次の項目となるべき文字情報を抽出する。なお、抽出条件保持部４４２に指示受付部５４を介して利用者から入力された抽出条件が保持されている場合には、目次項目抽出部４３４は、指示受付部５４が利用者から取得した抽出条件に基づいて文字情報を抽出する。
【００８２】
目次項目削除部４３７は、目次項目抽出部４３４が抽出した目次項目から同期調整部４３６が統合した区間の目次項目を削除する。
【００８３】
目次生成部４４４は、目次項目削除部４２７が削除した残りの目次項目を含む、動画データの目次を生成する。
【００８４】
音声解析部４５０は、音声データの周波数解析を行い、解析結果に基づいて予め定められた音声属性を特定する。
【００８５】
対応付部４３５は、目次項目選択部４４０が選択した目次項目を、当該目次項目の抽出元である、プレゼンテーション資料３１の各ページに対応付ける。対応付部４３５は、また音声解析部４５０が特定した音声属性を示す音声属性表示情報を、デジタルデータのうち音声属性が特定された区間に対応付ける。
【００８６】
図６は、情報編集部３５が生成した情報ファイルを示している。情報ファイルは、動画データ６００と、動画データ６００の各区間６１０に対応付けられた複数の画面画像３１０，３１２・・・を有している。また、各区間に対応付けられた音声属性６０６を有している。
【００８７】
音声属性６０６は、デジタルデータ６００に対応する音声データのうち、音声属性が特定された領域を含む区間に対して特定された属性である。例えば、音声データのうち区間１に含まれる領域が私語属性と特定された場合には、図６に示すように区間１に対して私語属性が付与される。
【００８８】
なお、動画データ６００の各区間６０２は、複数のフレーム６０４を含んでいる。各区間６０２の長さは、イベント情報により決定される。このように、動画データ６００は、プレゼンテーション資料３１の各画面画像３１０，３１２・・・と対応付けられているので、動画データ６００とプレゼンテーション資料３１の各画面画像３１０，３１２・・・とを同期して表示させることができる。
【００８９】
図７は、出力部５０から出力された情報ファイルを示している。図７に示す表示部５００には、動画データ６００と、プレゼンテーション資料３１のうち、表示部５００に表示されている区間に同期されたページ３３０と、動画データ６００の区間に対応付けられた音声属性を示す音声属性表示情報３４０と、動画データ６００の目次８００とが表示されている。
【００９０】
このように、動画データ６００の所定の区間が表示されているときに、同時に当該区間に対応付けられている音声属性を示す音声属性表示情報３４０が表示されるので、視聴者は、音声属性表示情報３４０を見ることにより、実際のプレゼンテーションに参加していなくとも、より正確にその会場の様子を把握することができる。
【００９１】
なお、目次８００と動画データ６００とはリンクしており、例えば、目次８００中の「テーマ１：製造業の空洞化」という項目が視聴者により選択されると、そのとき表示されている動画データ６００の区間にかかわらず、動画データ６００の区間１が再生される。なお、区間１とは、映像中に含まれる表示画面３０にテーマ１の画面画像が表示されている区間である。このように、目次を選択することにより、利用者の所望の区間を表示させることができる。
【００９２】
なお、本実施の形態においては、情報ファイル生成部４３は、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）を利用して情報ファイルを生成する。ここで、ＳＭＩＬとは、動画、静止画、音声、音楽、文字など様々な形式のデータの再生を制御して同期させる言語のことであり、ＸＭＬで記述されている。ＳＭＩＬを用いることにより、表示画面における表示位置、表示させるタイミング、表示させる時間などを指定することができる。
【００９３】
以下、図８を参照しつつ、情報編集部３５が情報ファイルを作成するときの情報編集処理について説明する。まず、区間決定部４３０は、ＤＶカメラ４から取得した動画データ６００を、プレゼンテーション装置２から取得したイベント情報６１０に基づいて複数の区間に分割する（ステップＳ１００）。具体的には、「発生日時１０時１０分、イベント種類ページ２に切り替え」及び「発生日時１０時１６分、イベント種類ページ３に切り替え」を示す連続して記録された２つのイベント情報を取得した場合には、動画データ６００のうち１０時１０分から１０時１６分の間に録画された区間はページ２に対応する区間と決定される。すなわち、１０時１０分および１０時１６分の位置を境界位置とする区間に分割する。
【００９４】
次に、区間調整部４３１は、区間決定部４３０によって決定された各区間の長さを、予め定められた規定長と比較する。そして、規定長に比べて短い区間、すなわち規定長外区間があった場合（ステップＳ１０２，Ｙｅｓ）、規定長外区間を調整する（ステップＳ１０４）。
【００９５】
ここで、図９を参照しつつ、区間調整部４３１が規定長外区間を調整する方法について説明する。図９は、動画データ６００を時間軸に沿って模式的に示している。例えば、「テーマ１」の区間は、動画データ６００のうち、動画データ６００に映像として含まれている表示画面３０に「テーマ１」の表題のページ、すなわち１ページが表示されている区間を示している。このように、各区間は、表示画面３０に表示された画面画像の切り替りを境界として定められている。
【００９６】
また、ｔ１は、「テーマ１」に対応する区間を再生するのに要する再生時間である。すなわち、ｔ１は、テーマ１のページであるページ１の表示終了時刻と開始時刻の差分値である。ここで、先に述べた規定長は、ｔｓで示される。すなわち、規定長は再生時間の単位で定められている。
【００９７】
区間の長さｔｘ（ｘ＝１〜６）の各々について規定長ｔｓと比較し、規定長ｔｓに比べて短い区間は、規定長ｔｓよりも長い他の区間に統合する。例えば、図９（ａ）に示す「テーマ４」を表示する区間の長さｔ４および「テーマ５」の区間の長さｔ５は規定長に比べて短い。従って、「テーマ４」の区間および「テーマ５」の区間は、規定外区間と判断される。この場合、図９（ｂ）に示すように、規定外区間は、その直後の区間に統合される。すなわち、「テーマ５」の区間は、「テーマ６」の区間に統合される。また、「テーマ４」の直後の区間、すなわち「テーマ５」の区間は規定外区間であるので、「テーマ４」の区間は、さらにその直後の区間、すなわち「テーマ６」の区間に統合される。すなわち、「テーマ４」の区間、「テーマ５」の区間、および「テーマ６」の区間が１つの区間に統合され、いずれも区間４に含まれることになる。
【００９８】
プレゼンテーションにおいては、時間の都合上、途中のページの説明を省略する場合がある。図９の「テーマ４」の区間および「テーマ５」の区間ように、その表示時間が短い場合、これらの画面画像は「テーマ６」を表示させるため表示されたに過ぎず、画面画像に対する説明は省略されていると推測される。このように、説明の対象となっていないと予想される、表示時間の短い画面画像に対応する区間を省略することで、より見やすい情報に編集することができる。
【００９９】
プレゼンテーション資料３１の途中の画面画像の説明を省略する場合、省略する画面画像を表示させている間、プレゼンターは、次に説明する画面画像に関する内容を意識している場合が多い。このため、表示画面３０に省略された画面画像が表示されている間は、その次に説明の対象となるページにおいて説明すべき事項に関連する説明をしていると予想される。また、実際のプレゼンテーションにおいても、このようなケースが多い。そこで、本実施の形態においては、規定外区間は、便宜的にその直後の区間に含めることにした。これにより、内容的に統一された区間を１つの区間とすることができる。
【０１００】
説明を図８に戻す。動画データが複数の区間に分割されると、次に、同期部４３３は、イベント情報６１０に基づいて、動画データ６００とプレゼンテーション資料３１とを同期させる（ステップＳ１０６）。次に、目次項目抽出部４３４は、プレゼンテーション資料３１から動画データ６００の目次として文字情報を抽出する（ステップＳ１０８）。具体的には、プレゼンテーション資料３１の各画面画像は、タイトル属性が付与された文字情報を含んでおり、目次項目抽出部４３４は、タイトル属性に対応付けられた文字情報を抽出する。目次項目抽出部４３４は、プレゼンテーション資料３１に含まれるすべてのページの画面画像から文字情報を抽出する。ステップＳ１０８における処理は、図１３以降で詳述する。
【０１０１】
次に、目次項目抽出部４３４は、抽出した目次項目を含む目次を生成する（ステップＳ１０９）。次に、対応付部４３５は、目次項目抽出部４３４が抽出した文字情報、すなわち目次項目を、当該目次項目を抽出した画面画像に対応付ける（ステップＳ１１０）。画面画像は、動画データ６００の各区間に対応付けられている。従って、各目次項目は、画面画像を介して動画データ６００の各区間に対応付けられる。
【０１０２】
ステップＳ１０２，ステップＳ１０４において、区間を統合した場合には（ステップＳ１１２，Ｙｅｓ）、同期調整部４３６は、動画データ６００とプレゼンテーション資料３１の同期を調整する（ステップＳ１１４）。
【０１０３】
ここで、図１０を参照しつつ同期調整部４３６が同期を調整する方法について説明する。図１０に示すように、動画データ６００の各区間と、当該区間と同時に表示すべきプレゼンテーション資料３１の各ページは同期している。規定外区間である「テーマ４」の区間および「テーマ５」の区間には、それぞれプレゼンテーション資料３１のうち「テーマ４」を示す４ページと５ページが同期している。この場合、同期調整部４３６は、「テーマ４」の区間および「テーマ５」の区間を含む区間４全体に対してプレゼンテーション資料３１の６ページを同期させる。すなわち、同期調整部４３６は、「テーマ４」の区間に対して、４ページにかえて６ページを同期させ、かつ「テーマ５」の区間に対して、５ページにかえて６ページを同期させる。
【０１０４】
規定外区間において表示画面３０に表示される画面画像は、該当するページにおいて、その説明が省略されており、表示させる必要がない場合が多い。また、先に説明したように、これらの画面画像を表示しているとき、プレゼンターはその後に表示する画面画像に関する内容について説明している場合が多い。このため、同期部４３３によって同期された画面画像を同期させるよりも、その後に表示するページを同期したほうが、利用者は内容を理解しやすい。
【０１０５】
再び、説明を図８に戻す。同期調整が完了すると、次に、目次項目抽出部４３７は規定外区間に対応する目次項目を削除する（ステップＳ１１６）。
【０１０６】
図１１は、図１０に示す動画データ６００の目次項目を示している。図１１（ａ）はステップＳ１１６における削除前の目次項目を示している。図１１（ｂ）は削除後の目次項目を示している。図１０に示すように、規定外区間である「テーマ４」の区間および「テーマ５」の区間は、いずれも「テーマ６」の区間に統合されている。そこで、これら３つの区間を含む区間４に対しては、統合先の区間に同期するページ６のページ属性を目次項目として抽出する。これにより、目次項目が無駄に多くなるのを避けることができる。
【０１０７】
再び、説明を図８に戻す。次に、音声解析部４５０は、音声データ６２０の周波数解析により音声データの各領域に対して音声属性を特定する（ステップＳ１１８）。具体的には、周波数と音声属性とを対応付けた音声属性テーブルを予め保持し、音声属性テーブルにおいて、解析の結果得られた音声データの周波数に対応付けられている音声属性を特定する。本実施の形態においては、音声データから拍手を含む領域、笑いを含む領域、質問を含む領域、私語を含む領域をそれぞれ抽出することができる。
【０１０８】
各領域の特定方法としては、例えば、広帯域の周波数が得られた場合には、拍手を含む領域と特定する。また、特定の周波数に顕著なピークが観測された場合には、特定の人物の声とである可能性が高いので、この場合に質問を含む領域と特定する。また、比較的高い周波数が得られた場合には、笑いを含む領域とし、また，雑音に近い周波数が得られた場合には、私語を含む領域と特定する。
【０１０９】
次に、対応付部４３５は、各音声属性を特定した音声データに対応付けられる動画データの各区間に対して、当該音声属性を示す音声属性表示情報を付与する（ステップＳ１２０）。以上で、情報編集処理が完了する。
【０１１０】
次に、プレゼンテーションにおいて、本来表示すべき順番と逆の順番でプレゼンテーション資料３１の画面画像が表示された場合の情報編集部３５の処理について、図１２を参照しつつ説明する。図１２に示す動画データ６１０には、プレゼンテーション資料３１のページ順と逆の順番にページが表示される部分が含まれている。すなわち、動画データに含まれる表示画面３０は、「テーマ５」を表示したのちに、再度「テーマ４」の画面画像、「テーマ３」の画面画像、および「テーマ２」の画面画像の順に表示している。
【０１１１】
なお、情報編集装置３５は、ページの切り替えをイベント種類として含むイベント情報に基づいて、ページ順と逆の順番に表示されていることを認識することができる。
【０１１２】
プレゼンテーションにおいては、既に説明した内容を、再び関連する画面画像を再度表示させて説明する場合がある。このような場合には、プレゼンターは、ユーザインターフェースを用いて操作することにより。図１２に示すように順にページを戻していく。この場合も情報編集部３５は、図８から図１１を参照しつつ説明した情報編集処理によって、規定長外区間を、当該規定長外区間の直後の区間に統合する。具体的には、図１２に示すテーマ５の区間に続いて順に表示されるテーマ４の区間およびテーマ３の区間が規定外区間である場合には、「テーマ４」の区間および「テーマ３」の区間を「テーマ２」の区間に統合する。
【０１１３】
その一方で、ページ順に「テーマ１」の区間から「テーマ５」の区間の間に含まれる規定外区間である「テーマ４」の区間に対しては、直後の区間に含める処理を行わない。このように、一旦表示させたページを、再度ページを遡って表示させる場合に限り直後の区間に統合することとしてもよい。
【０１１４】
ページ順にプレゼンテーション資料３１を表示させているときは、各ページについての説明を省略していても、聴講者の理解のためには画面画像の表示は残したほうがよい場合もある。このような場合には、本例のように、逆順にページが切り替る場合のみ規定外区間を統合することにより、より理解しやすい情報にすることができる。
【０１１５】
逆順にページが切り替る場合は、それ以前に既に、省略されたページについての説明がなされている場合が多い。従って、逆順にページが切り替る区間内の規定外区間を統合することにより、より適切な目次を生成することができる。
【０１１６】
次に、図１３を参照しつつ、図８に示したステップＳ１０８における詳細な処理について説明する。なお、図１３は、最も左側に配置され、または最も上側に配置され、かつフォントサイズが最大であることが抽出条件として設定されている場合の処理を示している。
【０１１７】
目次項目抽出部４３４は、画面画像情報においてタイトルとして指定されている文字情報がある場合には（ステップＳ２００，Ｙｅｓ）、タイトルとして指定されている文字情報を画面画像情報から抽出する（ステップＳ２１０）。そして、図８に示したステップＳ１１０へ進む。
【０１１８】
ここで、図１４を参照しつつ、タイトルとして指定されている文字情報について説明する。図１４は、タイトルとして指定される文字情報を入力すべきテキストボックス６００を示している。本実施の形態においては、画面画像情報を生成する際に、当該画面画像情報の作成者が、画面画像３５０のタイトルとすべき文字情報をテキストボックス６００に入力する。テキストボックス６００に入力された文字情報は、タイトルとして指定される。すなわち、図１４においては、テキストボックス６００に入力された文字情報「議論に対する基本姿勢」という文字情報がタイトルとして指定される。
【０１１９】
そして、ステップＳ２１０においては、タイトルとして指定された議論に対する基本姿勢」という文字情報がタイトル、すなわち目次項目として抽出される。このように、画面画像の作成者が付与したタイトルを目次項目として抽出できるので適切な目次を作成することができる。
【０１２０】
再び説明を図１３に戻す。画面画像において、タイトルとして指定されている文字情報がない場合には（ステップＳ２００，Ｎｏ）、まず画面画像のうち最も左側に配置された文字情報を抽出する（ステップＳ２０１）。次に、最も上側に配置された文字情報を抽出する（ステップＳ２０２）。
【０１２１】
ステップＳ２００およびステップＳ２０２において複数の文字情報を抽出した場合、すなわちステップＳ２００およびステップＳ２０２において同一の一の文字情報を抽出した場合以外の場合には（ステップＳ２０４，Ｙｅｓ）、ステップＳ２００およびステップＳ２０２において選択した複数の文字情報のうちフォントサイズが最大の文字情報を、当該画面画像情報の目次項目として選択する（ステップＳ２０６）。全ての画面画像情報について、目次項目を抽出すると（ステップＳ２０８，Ｙｅｓ）、ステップＳ１０８における処理は完了する。そして、図８において示したステップ１０９へ進む。
【０１２２】
図１５を参照しつつ、図１３において説明した処理をより具体的に説明する。図１５は画面画像３５０を示している。画面画像３５０の辺３５２は左辺である。また、辺３５４は上辺である。
【０１２３】
図１５に示す画面画像３５０のうち最も左側に配置された文字情報は、「▲１▼変革派」６１０および「▲２▼斬新派」６２０の２つである。また、最も上側に配置された文字情報とは、「議論に対する基本姿勢」６００である。従って、ステップＳ２０１において「▲１▼変革派」６１０および「▲２▼斬新派」６２０の２つの文字情報が抽出される。また、ステップＳ２０１において「議論に対する基本姿勢」６００の文字情報が抽出される。すなわち、目次項目抽出部４３４は全部で３つの文字情報を抽出する。
【０１２４】
このように複数の文字情報を抽出した場合、ステップ２０６において、目次項目選択部４４０は３つの文字情報のうちフォントサイズが最大の文字情報を選択する。「▲１▼変革派」６１０および「▲２▼斬新派」６２０の２つの文字情報のフォントサイズが１６であり、「議論に対する基本姿勢」６００の文字情報のフォントサイズが２４である場合、フォントサイズの大きい「議論に対する基本姿勢」６００の文字情報が目次項目として決定される。このように、複数の条件に従って適切な目次項目を決定することができる。
【０１２５】
図１６は、実施の形態にかかる情報編集装置５のハードウェア構成を示す図である。情報編集装置５は、図２および図５を参照しつつ説明した、情報編集部３５の情報編集プログラムなどが格納されているＲＯＭ５２、ＲＯＭ５２内のプログラムに従って情報編集装置５の各部を制御し、情報編集処理等を実行するＣＰＵ５１、ワークエリアが形成され、情報編集装置５の制御に必要な種々のデータが記憶されているＲＡＭ５３、ネットワークに接続して、通信を行う通信Ｉ／Ｆ５７、および各部を接続するバス６２を備えている。
【０１２６】
先に述べた情報編集装置５における情報編集処理を実行する情報編集プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供される。
【０１２７】
また、本実施形態の情報編集プログラムを、インターネット等のネットワークに接続されたコンピュータ上に格納し、ネットワーク経由でダウンロードさせることにより提供するように構成しても良い。
【０１２８】
この場合には、情報編集プログラムは、情報編集装置５において上記記録媒体から読み出して実行することにより主記憶装置上にロードされ、上記ソフトウェア構成で説明した各部が主記憶装置上に生成されるようになっている。
【０１２９】
また、プレゼンテーション装置２のハードウェア構成は、図１３を参照しつつ説明した情報編集装置５のハードウェア構成と同様であるので、説明を省略する。
【０１３０】
（実施の形態２）
図１７は、実施の形態２にかかる情報編集装置５の情報編集ファイル生成部４３の詳細な機能構成を示すブロック図である。
【０１３１】
実施の形態２に係る情報編集ファイル生成部４３は、実施の形態１にかかる情報編集装置５と同様に、区間決定部４３０と、区間調整部４３１と、同期部４３３と、目次項目抽出部４３４と、目次項目削除部４３７と、目次生成部４４４と、抽出条件保持部４４２と、対応付部４３５と、同期調整部４３６と、音声解析部４５０とを有する。
【０１３２】
実施の形態２にかかる区間決定部４３０は、音声解析部４５０による音声データの周波数解析の結果に基づいて、デジタルデータの区間を決定する。この点で、実施の形態２に係る情報編集装置２は、実施の形態１にかかる情報編集装置２と異なる。
【０１３３】
図１８は、実施の形態２に係る区間決定部４３０が区間を決定する方法を説明するための図である。図１８は、動画データ記録時刻および音声データ記録時刻に基づいて対応付けられる動画データ６００と、音声データ６２０とを示している。図１８に示すように、音声データ６２０の周波数解析から、音声データの各領域６２０ａ，６２０ｂ，６２０ｃ，６２０ｄに対して音声属性が特定された場合には、区間決定部４３０はこの音声属性により定まる領域を１つの区間として決定する。
【０１３４】
なお、区間決定部４３０は、動画データ６００のうち、音声属性が定められていない領域に対応する部分は、１つの区間として決定する。すなわち、音声属性が定められている領域に挟まれた連続した領域を１つの区間として決定する。
【０１３５】
このように、実施の形態２においては、音声属性に基づいて、動画データ６００を複数の区間に分割することができる。
【０１３６】
なお、これ以外の情報編集システム１における構成および機能は、実施の形態１に係る情報編集システム１における構成および機能と同様であるので、説明を省略する。
【０１３７】
（実施の形態３）
図１９は、実施の形態３にかかる情報編集システム１の全体構成を示す図である。実施の形態３にかかる情報編集システム１は、実施の形態１において説明した情報編集処理を、対象となる動画データの記録と同時に行う。
【０１３８】
図１９に示すように、情報編集装置５は、ＰＣ２と通信可能であって、ＰＣ２においてイベントが発生するとリアルタイムにイベント情報を取得する。また、ＤＶカメラ４において動画データが記録される際に、リアルタイムに記録された動画データを取得する。また、同様に、ＤＶカメラ４を介してマイク装置６からリアルタイムの音声データを取得する。
【０１３９】
このように、実施の形態３にかかる情報編集システム１においては、動画データを記録する際に、同時に情報ファイルを生成することができるので、後にインデキシング等の処理を改めて行う必要がない。このように、煩雑な操作を行うことなく簡単に情報ファイルを生成することができる。
【０１４０】
【発明の効果】
以上説明したように、請求項１にかかる発明によれば、音声データの周波数解析に基づいて定められた音声属性をデジタルデータに対して付与することができるので、デジタルデータの視聴者は音声データから得られた情報に基づいて所望の情報を検索することができるという効果を奏する。また、音声属性は、プレゼンテーションの参加者の反応に基づいて生成されているので、音声属性に実際の重要度をより正確に反映させることができるという効果を奏する。
【０１４１】
また、請求項２にかかる発明によれば、デジタルデータを音声属性の種類に応じて、複数の区間に分割することができるので、視聴者が希望する情報を含む区間だけを適切に選択し、当該区間のみを視聴者に提供することができるという効果を奏する。
【０１４２】
また、請求項３にかかる発明によれば、デジタルデータに含まれる各区間に対して、音声属性を付与することができるので、視聴者の希望するシーンを区間単位で検索し、必要な部分のみを視聴者に提供することができるという効果を奏する。
【０１４３】
また、請求項４にかかる発明によれば、デジタルデータが講演者を含む場合に、講演者の音声はデジタルデータとして取得するので、音声解析のための音声データとは別に、視聴者が聞くための音声データをデジタルデータとして利用者に提供することができるという効果を奏する。
【０１４４】
また、請求項５にかかる発明によれば、音声解析手段は、拍手属性を特定することができるので、拍手があったシーンのみを視聴者に提供することができるという効果を奏する。
【０１４５】
また、請求項６にかかる発明によれば、音声解析手段は、笑い属性を特定することができるので、笑いがあったシーンのみを視聴者に提供することができるという効果を奏する。
【０１４６】
また、請求項７にかかる発明によれば、音声解析手段は、質問属性を特定することができるので、質問があったシーンのみを視聴者に提供することができるという効果を奏する。
【０１４７】
また、請求項８にかかる発明によれば、音声解析手段は、私語属性を特定することができるので、私語があったシーン以外のシーンを視聴者に提供することができるという効果を奏する。
【０１４８】
また、請求項９にかかる発明によれば、デジタルデータの各区間には、対応する音声属性を示す音声属性表示情報が付与されるので、表示画面にデジタルデータを表示させるときに、同時に対応する音声属性表示情報を表示させることができる。したがって、視聴者は、表示画面に表示されたデジタルデータを視聴しているときに、その場面がどのような場面であったかを、デジタルデータとともに表示されている音声属性表示情報から容易に把握することができる。これにより、デジタルデータの内容を、実際に講演等に参加したのと同様に詳しく理解することができるという効果を奏する。
【０１４９】
また、請求項１０にかかる発明によれば、音声データの周波数解析に基づいて定められた音声属性をデジタルデータに対して付与することができるので、デジタルデータの視聴者は音声データから得られた情報に基づいて所望の情報を検索することができるという効果を奏する。
【０１５０】
また、請求項１１にかかる発明によれば、画像データとともに記録した音声データをデジタルデータとして視聴者に提供することができるという効果を奏する。
【０１５１】
また、請求項１２にかかる発明によれば、音声データの周波数解析に基づいて定められた音声属性をデジタルデータに対して付与することができるので、デジタルデータの視聴者は音声データから得られた情報に基づいて所望の情報を検索することができるという効果を奏する。
【０１５２】
また、請求項１３にかかる発明によれば、音声データの周波数解析に基づいて定められた音声属性をデジタルデータに対して付与することができるので、デジタルデータの視聴者は音声データから得られた情報に基づいて所望の情報を検索することができるという効果を奏する。
【図面の簡単な説明】
【図１】情報編集システム１の全体構成を示す図である。
【図２】情報編集装置５の情報編集部３５と、プレゼンテーション装置２のイベント処理部３２の機能構成を示すブロック図である。
【図３】プレゼンテーション資料３１を模式的に示す図である。
【図４】イベント情報リスト３４０のデータ構成を模式的に示す図である。
【図５】情報ファイル生成部４３の詳細な機能構成を示す機能ブロック図である。
【図６】情報編集部３５が生成した情報ファイルを示す図である。
【図７】出力部５０から出力された情報ファイルを示す図である。
【図８】情報編集部３５が情報ファイルを作成するときの情報編集処理を示すフローチャートである。
【図９】動画データ６００を時間軸に沿って模式的に示す図である。
【図１０】同期調整部４３６による同期の調整方法を説明するための図である。
【図１１】図１０に示す動画データ６００の目次を示す図である。
【図１２】動画データ６１０を示す図である。
【図１３】図８において説明したステップＳ１０８における、情報編集部３５の詳細な処理を示すフローチャートである。
【図１４】タイトルとして指定される文字情報を入力すべきテキストボックス６００を示す図である。
【図１５】画面画像３５０から目次項目を抽出する処理を説明するための図である。
【図１６】情報編集装置５のハードウェア構成を示す図である。
【図１７】実施の形態２にかかる情報編集装置５の情報ファイル生成部４３の機能構成を示すブロック図である。
【図１８】実施の形態２にかかる情報編集装置５の区間決定部４３０により決定される区間を説明するための図である。
【図１９】実施の形態３にかかる情報編集システム１の全体構成を示す図である。
【符号の説明】
１  情報編集システム
２  ＰＣ
５  情報編集装置
６，７  マイク装置
１５  マウス
２１  キーボード
３０  表示画面
３１  プレゼンテーション資料
３２  イベント処理部
３３  イベントキャプチャ部
３４  イベント記録部
３５  情報編集部
３６  受信部
３７  イベント情報制御部
３８  イベント記録部
３９  撮影機器制御部
４０  キャプチャ部
４１  動画データ管理部
４２  イベント情報解釈部
４３  情報ファイル生成部
４４  送信部
５０  出力部
５４  指示受付部
４３０  区間決定部
４３１  区間調整部
４３３  同期部
４３４  目次項目抽出部
４３５  対応付部
４３６  同期調整部
４３７  目次項目抽出部
４４２  抽出条件保持部
４４４  目次生成部
４５０  音声解析部
５００  表示部
【図１】
2004304350.tif 000003
【図２】
2004304350.tif 000004
【図３】
2004304350.tif 000005
【図４】
2004304350.tif 000006
【図５】
2004304350.tif 000007
【図６】
2004304350.tif 000008
【図７】
2004304350.tif 000009
【図８】
2004304350.tif 000010
【図９】
2004304350.tif 000011
【図１０】
2004304350.tif 000012
【図１１】
2004304350.tif 000013
【図１２】
2004304350.tif 000014
【図１３】
2004304350.tif 000015
【図１４】
2004304350.tif 000016
【図１５】
2004304350.tif 000017
【図１６】
2004304350.tif 000018
【図１７】
2004304350.tif 000019
【図１８】
2004304350.tif 000020
【図１９】
2004304350.tif 000021